(57)【特許請求の範囲】
【請求項１】
操作部を有する操作棒と、前記操作棒の先端に設けられ、前記操作部の操作により開閉軸周りに開閉する一対の開閉アームと、前記一対の開閉アームのそれぞれの先端に設けられ、前記一対の開閉アームの開閉に伴って接近または離隔するあご部と、を有する間接活線工具に備えられる間接活線工具のアダプタであって、
前記あご部が挿入される挿入孔をそれぞれ有する一対の基部と、
各前記基部から延び、前記一対の開閉アームの開閉に連動して開閉する一対のアーム部であって、一対のアーム部のそれぞれの先端側が前記開閉アームの開閉軸と平行な方向に対して直角であり、かつ前記アーム部が閉じた状態において前記操作棒の長手方向に対して傾斜している一対のアーム部と、
前記一対のアーム部の先端側にそれぞれが設けられ、前記アーム部が閉じた状態において対向する一対の挟み体と、を備え、
前記操作部を操作して前記一対の開閉アームを開閉することにより、前記一対の基部が接近または離隔し、前記一対のアーム部が開閉し、および前記一対の挟み体が接近または離隔し、前記一対の挟み体で物を挟むことができることを特徴とする間接活線工具のアダプタ。
【請求項２】
各前記アーム部または各前記挟み体から前記開閉アームの開閉軸と略平行な方向に突出する一対の突出部を備え、前記操作部を操作して前記一対の開閉アームを開閉することにより、前記一対の突出部で物を挟むことができることを特徴とする請求項１記載の間接活線工具のアダプタ。
【請求項３】
前記基部に対する前記アーム部の角度を変更する角度変更機構を備えることを特徴とする請求項１または２記載の間接活線工具のアダプタ。
【請求項４】
前記一対の基部が、対向する側に、物を挟むための挟み部を備えていることを特徴とする請求項１、２または３記載の間接活線工具のアダプタ。
【請求項５】
前記一対の挟み体のうちの一方が、前記一対の挟み体が対向する側に、略前記挟み体の一方が設けられている前記アーム部の先端側が延びる方向に沿って設けられる溝部を備え、他方が前記一対の挟み体が対向する側に、前記開閉アームの開閉軸と略平行な方向に沿って設けられる溝部を備えることを特徴とする請求項１、２、３または４記載の間接活線工具のアダプタ。
【請求項６】
前記一対のアーム部が、前記操作棒の長手方向に対し、前記一対の基部の先端から前記一対の開閉アーム部の後端までの範囲内で交差しており、前記一対のアーム部の先端側、前記一対の挟み体および前記一対の突出部が前記範囲内に位置することを特徴とする請求項１、２、３、４または５記載の間接活線工具のアダプタ。
【請求項７】
操作部を有する操作棒と、前記操作棒の先端に設けられ、前記操作部の操作により開閉軸周りに開閉する一対の開閉アームと、前記一対の開閉アームのそれぞれの先端に設けられ、前記一対の開閉アームの開閉に伴って接近または離隔するあご部と、を有する間接活線工具に請求項１、２、３、４、５または６記載の間接活線工具のアダプタを備えて、架線に対する作業を行う作業方法であって、
前記架線の略側方または斜め上において作業者が前記間接活線工具のアダプタを備えた前記間接活線工具を用いて架線に対する作業を行うことを特徴とする作業方法。
【請求項８】
前記間接活線工具に請求項２、３、４、５または６記載の間接活線工具のアダプタを備えて、架線に鳥害防止具を取り付ける作業方法であって、
前記鳥害防止具は、鳥が電線に留まることを防止する留まり止めと、環状部とを備え、  前記環状部は第一部と第二部とが両者の基端側を中心に開閉可能に設けられ、
前記第一部と前記第二部とのいずれか一方の先端側に弾性変形可能な挿入部が設けられ、前記第一部と前記第二部とのいずれか他方の先端側に前記挿入部を挿入する受容部が設けられ、
前記挿入部は係合部を備え、前記受容部は前記係合部を係止する係止部を備え、
前記受容部に前記挿入部が挿入された状態で、前記係合部と前記係止部とが係止されることにより、前記第一部と前記第二部とが固定され、
前記挿入部を弾性変形させることで、前記係合部と前記係止部との係止が解除され、前記挿入部を前記受容部から抜くことが可能なものであり、
前記架線の略側方または斜め上において作業者が前記間接活線工具のアダプタを備えた前記間接活線工具または別の間接活線工具を用いて、前記第一部または前記第二部が開いた前記鳥害防止具を、前記環状部内に前記架線を通して前記架線に掛ける工程と、
前記架線の略側方または斜め上において作業者が前記間接活線工具のアダプタを備えた前記間接活線工具を用い、前記操作部の操作により前記鳥害防止具を前記一対の突出部で挟み込んで前記挿入部の先端側を前記受容部に挿入する工程と、
前記架線の略側方または斜め上において作業者が前記間接活線工具のアダプタを備えた前記間接活線工具を用い、前記操作部の操作により前記鳥害防止具を前記一対の挟み体で挟むことによりさらに前記挿入部を前記受容部に挿入して前記係合部を前記係止部に係止する工程と、を備えることを特徴とする請求項７記載の作業方法。
【発明の詳細な説明】
【技術分野】
【０００１】
本発明は、間接活線工具のアダプタおよびこれを用いた作業方法に関する。
【背景技術】
【０００２】
電線などの架線には、必要に応じて鳥害防止具などの用具が取り付けられる。例えば、特許文献１には、電線に取り付けられる鳥害防止具と、その取付方法について記載されている。これによると、鳥害防止具は、構成の一つとして上下に開閉可能な部分を有する環状部を備え、環状部に電線を通して環状部を閉じることにより、電線に取り付けられる。また、その取付方法は、いわゆるやっとこと呼ばれる間接活線工具（絶縁工具）を用いて鳥害防止具を間接活線工法により電線に取り付けるものである。
上記の鳥害防止具およびその取付方法によると、鳥害防止具や間接活線工具の構造上、作業者は電線より低い位置から作業を行う必要がある。
しかしながら、上記の取付方法によると、図１９に示すような電線Ｌ１，Ｌ２が電柱Ｐに上下に架線されているような場所で上記鳥害防止具を上側の電線に取り付ける場合に、作業車輌のバケットＢ等に乗った作業者が間接活線工具１４０を用いて上側の電線Ｌ１より低い位置から作業を行うと、間接活線工具１４０または作業者が下側の電線Ｌ２に触れてしまう可能性がある。そのため、このような場合、送電を停止して作業を行うこととなるが、需要者の活動に支障が生じる。
【先行技術文献】
【特許文献】
【０００３】
【特許文献１】特開２０１２−２３５７２６号
【発明の概要】
【発明が解決しようとする課題】
【０００４】
本発明は、架線に関する作業において、架線が上下に複数存在する場所であっても、安全に活線作業を行うことができる間接活線工具のアダプタおよびこれを用いた作業方法を提供することを目的とする。
【課題を解決するための手段】
【０００５】
間接活線工具のアダプタは、操作部を有する操作棒と、操作棒の先端に設けられ、操作部の操作により開閉軸周りに開閉する一対の開閉アームと、一対の開閉アームのそれぞれの先端に設けられ、一対の開閉アームの開閉に伴って接近または離隔するあご部と、を有する間接活線工具に備えられる間接活線工具のアダプタであって、あご部が挿入される挿入孔をそれぞれ有する一対の基部と、各基部から延び、一対の開閉アームの開閉に連動して開閉する一対のアーム部であって、一対のアーム部のそれぞれの先端側が開閉アームの開閉軸と平行な方向に対して直角であり、かつ前記アーム部が閉じた状態において操作棒の長手方向に対して傾斜している一対のアーム部と、一対のアーム部の先端側にそれぞれ設けられ、アーム部が閉じた状態において対向する一対の挟み体と、を備えている。そして、操作部を操作して一対の開閉アームを開閉することにより、一対の基部が接近または離隔し、一対のアーム部が開閉し、および一対の挟み体が接近または離隔し、一対の挟み体で物を挟むことができるようになっている。
【０００６】
また、間接活線工具のアダプタは、各アーム部または各挟み体から開閉アームの開閉軸と略平行な方向に突出する一対の突出部を備えることもできる。この場合、操作部を操作して一対の開閉アームを開閉することにより、一対の突出部で物を挟むことができる。
【０００７】
また、間接活線工具のアダプタは、基部に対するアーム部の角度を変更する角度変更機構を備えることもできる。
【０００８】
また、間接活線工具のアダプタは、一対の基部が、対向する側に、物を挟むための挟み部を備えることもできる。
【０００９】
また、間接活線工具のアダプタは、一対の挟み体のうちの一方が、一対の挟み体が対向する側に、略挟み体の一方が設けられているアーム部の先端側が延びる方向に沿って設けられる溝部を備え、他方が一対の挟み体が対向する側に、開閉アームの開閉軸と略平行な方向に沿って設けられる溝部を備えることもできる。
【００１０】
また、間接活線工具のアダプタは、一対のアーム部が、操作棒の長手方向に対し、一対の基部の先端から一対の開閉アーム部の後端までの範囲内で交差しており、一対のアーム部の先端側、一対の挟み体および一対の突出部がその範囲内に位置するようにすることができる。
【００１１】
作業方法は、操作部を有する操作棒と、操作棒の先端に設けられ、操作部の操作により開閉軸周りに開閉する一対の開閉アームと、一対の開閉アームのそれぞれの先端に設けられ、一対の開閉アームの開閉に伴って接近または離隔するあご部と、を有する間接活線工具に上記いずれかの間接活線工具のアダプタを備えて、架線に対する作業を行う作業方法であって、架線の略側方または斜め上において作業者が前記間接活線工具のアダプタを備えた前記間接活線工具を用いて架線に対する作業を行うものである。
【００１２】
また、作業方法には、架線に鳥害防止具を取り付ける作業方法が含まれる。
【００１３】
鳥害防止具は、鳥が電線に留まることを防止する留まり止めと、環状部とを備え、環状部は第一部と第二部とが両者の基端側を中心に開閉可能に設けられ、第一部と第二部とのいずれか一方の先端側に弾性変形可能な挿入部が設けられ、第一部と第二部とのいずれか他方の先端側に挿入部を挿入する受容部が設けられ、挿入部は係合部を備え、受容部は係合部を係止する係止部を備えている。
そして、受容部に挿入部が挿入された状態で、係合部と係止部とが係止されることにより、第一部と第二部とが固定され、挿入部を弾性変形させることで、係合部と係止部との係止が解除され、挿入部を受容部から抜くことが可能になっている。
【００１４】
鳥害防止具を取り付ける作業方法は、架線の略側方または斜め上において作業者が間接活線工具のアダプタを備えた間接活線工具または別の間接活線工具を用いて、第一部または第二部が開いた鳥害防止具を、環状部内に架線を通して架線に掛ける工程と、架線の略側方または斜め上において作業者が間接活線工具のアダプタを備えた間接活線工具を用い、操作部の操作により鳥害防止具を一対の突出部で挟み込んで挿入部の先端側を受容部に挿入する工程と、架線の略側方または斜め上において作業者が間接活線工具のアダプタを備えた間接活線工具を用い、操作部の操作により鳥害防止具を一対の挟み体で挟むことによりさらに挿入部を受容部に挿入して係合部を係止部に係止する工程と、を備えている。
【発明の効果】
【００１５】
間接活線工具のアダプタは、間接活線工具に装着して用いることにより、架線の側方または斜め上から、架線に物を取り付ける作業など架線に関する作業を行うことができるので、上下に架線が複数存在する場所であっても架線に触れることなく安全に活線作業を行うことができる。また、作業者が作業車両のバケットに乗って架線の側方または斜め上から作業を行う場合には、バケットの周壁の上端に間接活線工具を載せながら作業を行うことができるので、架線の下側から作業を行う場合に比べ、作業者の負担を著しく軽減することができる。
【００１６】
作業方法は、架線の側方または斜め上から作業を行うことができるので、上下に架線が複数存在する場所であっても架線に触れることなく安全に活線作業を行うことができる。しかも作業方法は、上記理由により、作業者の負担を著しく軽減することができる。
【図面の簡単な説明】
【００１７】
【図１】本発明の実施形態の間接活線工具のアダプタを示す正面図である。
【図２】本発明の実施形態の間接活線工具のアダプタを示す背面図である。
【図３】本発明の実施形態の間接活線工具のアダプタを示す側面図である。
【図４】上側の基部を間接活線工具のあご部に装着した状態を示す一部縦断面図である。
【図５】上側の基部に備えられるアーム部を示す側面図である。
【図６】図１の着脱ヘッド周辺を示す拡大した一部横断面図である。
【図７】下側の基部に備えられるアーム部を示す側面図である。
【図８】基部に対するアームの角度を変更した状態を示す間接活線工具のアダプタの側面図である。
【図９】下側の基部のアーム部に備えられる挟み体を示す縦断面図である。
【図１０】間接活線工具を示す側面図である。
【図１１】間接活線工具のアダプタを間接活線工具に装着した状態を示す側面図である。
【図１２】鳥害防止具を示す正面図である。
【図１３】鳥害防止具を示す平面図である。
【図１４】鳥害防止具を示す側面図であり、（Ａ）は環状部が開いた状態、（Ｂ）は挿入部の先端側が受容部に挿入された状態、（Ｃ）は係合部が係止部に嵌り込み第一部と第二部とが固定された状態、（Ｄ）は係止部から係合部を外し、第一部と第二部の固定を解除する状態を示す。
【図１５】電線が電柱に上下に架線されている場所において、上側の電線の斜め上から作業を行う様子を示す模式図である。
【図１６】鳥害防止具を電線に掛ける工程を示す図である。
【図１７】鳥害防止具の第一部と第二部とを仮固定する工程を示す図である。
【図１８】鳥害防止具の第一部と第二部とを固定する工程を示す図である。
【図１９】電線が電柱に上下に架線されている場所において、従来の方法により上側の電線に鳥害防止具を取り付ける様子を示す模式図である。
【発明を実施するための形態】
【００１８】
まず、本発明の実施形態の間接活線工具のアダプタについて説明し、次いでこれを用いた作業方法について説明する。
【００１９】
図１ないし図３は本実施形態の間接活線工具のアダプタを示す。間接活線工具のアダプタは、操作部１４２を有する操作棒１４８と、操作棒１４８の先端に設けられ、操作部１４２の操作により開閉軸１５１周りに開閉する一対の開閉アーム１５０，１５０と、一対の開閉アーム１５０，１５０のそれぞれの先端に設けられ、一対の開閉アーム１５０，１５０の開閉に伴って接近または離隔するあご部１５２，１５２と、を有する間接活線工具１４０に備えられるものであって、一対の基部１０，５０と、一対のアーム部６０，７０と、一対の挟み体９０，１００と、一対の突出部１１０，１２０と、を備えている。
【００２０】
以下の説明において、説明の便宜上、図１０に示される間接活線工具１４０の長手方向を前後方向とし、開閉アーム１５０の開閉軸１５１の軸方向を左右方向とし、これらの方向と直交する方向を上下方向とする。
【００２１】
一対の基部１０，５０は、図１ないし図３に示すように、上下に配される。一対の基部１０，５０は、個々の構成が同じであるので、ここでは、上側の基部１０についてのみ説明する。
【００２２】
上側の基部１０は、図１ないし図４に示すように、基部本体１２と、基部本体１２に設けられる挿入孔１４と、を備えている。基部本体１２は、直方体の前面上側の角を面取りした形状であり、その底面が物を挟むための挟み部１５となっている。基部本体１２の底面には、滑り止めとしてゴムまたは樹脂等で形成されたシート１６が取り付けられている。挿入孔１４は、間接活線工具１４０のあご部１５２を挿入するためのものであり、基部本体１２の背面から前方に向かって設けられる孔である。
【００２３】
基部本体１２の上面には、この面から上方に延びる円柱状の枠部２０が設けられている。枠部２０の内部には円柱状の空間である内部空間２６が設けられており、枠部２０の上壁には上下に貫通する導入孔２２が設けられている。また、基部本体１２の上壁のうち枠部２０の導入孔２２の延長線上に位置する部分には、上下に貫通する導入孔２３が設けられている。
【００２４】
枠部２０の導入孔２２および内部空間２６ならびに基部本体１２の導入孔２３には、着脱ピン３０が挿入されている。着脱ピン３０は、胴部３２と、頭部３４と、を備えている。胴部３２は、枠部２０の導入孔２２および内部空間２６ならびに基部本体１２の導入孔２３に挿入される部分であり、円柱状であって、下端側が挿入孔１４内に突出している。頭部３４は、着脱ピン３０をつまみやすくするとともに、胴部３２の下方への移動を規制するためのものであり、円盤状であり、その底面が胴部３２の上端に連結している。頭部３４は、枠部２０の導入孔２２より径が大きくなっている。着脱ピン３０の胴部３２のうち、枠部２０の内部空間２６に位置する部分には、上下方向に伸縮するスプリングコイル３６が巻かれている。また、着脱ピン３０の胴部３２のうち、スプリングコイル３６の下端より下方に位置する部分には、側方に突出する掛け部３８が設けられている。
【００２５】
着脱ピン３０を外側（上側）に引くと、着脱ピン３０の掛け部３８がスプリングコイル３６に引掛り、スプリングコイル３６が押し上げられる。押し上げられるスプリングコイル３６は、枠部２０の上壁により移動が規制されて収縮するので、着脱ピン３０を元の位置に戻そうとする。
【００２６】
間接活線工具１４０を基部１０に装着する場合には、まず着脱ピン３０を外側（上側）にひいて、挿入孔１４に間接活線工具１４０のあご部１５２を挿入し、次いで着脱ピン３０を元の位置に戻して、着脱ピン３０の胴部３２をあご部１５２に設けられた凹部１５４に嵌る。
基部１０から間接活線工具１４０を取り外す場合には、着脱ピン３０を上側にひいて、胴部３２をあご部１５２の凹部１５４から外し、あご部１５２を挿入孔１４から引き出す。
以上のような構成により、基部１０は間接活線工具１４０のあご部１５２に着脱自在に装着できるようになっている。
【００２７】
基部本体１２の左右の側面には、図１ないし図３に示すように、受け部４０，４０が備えられている。各受け部４０は、板状であって、その一面が基部本体１２の側面に取り付けられており、基部本体１２の上面よりも上側に延び出している。左右の受け部４０，４０のうち基部本体１２の上面よりも上側に位置する部分には、左右方向に延びる軸部４２が支持されている。
【００２８】
一対のアーム部６０，７０は、図１ないし図３に示すように、それぞれ上側の基部１０と下側の基部５０に備えられている。
【００２９】
上側の基部１０のアーム部６０，６０は、左右方向に間隔を保って左右の受け部４０，４０にそれぞれ備えられている。各アーム部６０は、図１ないし図３および図５に示すように、帯状であって、基部１０の後方に向かって上側に傾斜して延びるアーム基部６２と、アーム基部６２の先端から後方に向かって延び、途中屈曲してアーム基部６２よりさらに上側に傾斜している主アーム部６４とにより構成されている。なお、主アーム部６４の形状は特に限定されるものではなく、少なくともその先端側（上側）がアーム基部６２よりさらに上側に傾斜していればよい。
【００３０】
上側の基部１０に備えられる左右のアーム部６０，６０のうち、アーム基部６２，６２には、図５に示すように、基部１０に対するアーム部６０の角度を変えるため、左右方向に貫通する軸孔６６が同心円上に１５°間隔で３つ設けられている。軸孔６６は、断面円状であり、軸部４２より径が大きくなっており、隣り合う軸孔６６，６６は一部重なるように設けられている。
【００３１】
左右のアーム部６０，６０の対向する軸孔６６，６６には、図６に示すように、軸部４２が通されている。また、軸部４２の両端側には、着脱ヘッド８０，８０が備えられている。着脱ヘッド８０は、底部を有する円筒状の着脱ヘッド本体８２と、着脱ヘッド８０を摘む部分であって、着脱ヘッド本体８２の上部の側面から外側に突出する摘み部８４と、着脱ヘッド本体８２の底部に設けられ、軸孔に挿入可能な凸部８６と、着脱ヘッド本体８２の底部および凸部８６を左右方向に貫通する貫通孔８９と、を備えている。着脱ヘッド８０の貫通孔８９には軸部４２が通されており、着脱ヘッド８０の凸部８６がアーム部６０の軸孔６６に嵌められている。軸部４２のうち、着脱ヘッド本体８２内に位置する部分には、軸部４２の軸方向（左右方向）に伸縮するスプリングコイル８７が巻かれている。また、軸部４２の端部には、軸部４２の軸方向へのスプリングコイル８７の移動を規制するために、規制部８８が設けられている。
【００３２】
着脱ヘッド８０を外側（左右方向）に引くと、規制部８８に移動が規制されるスプリングコイル８７が着脱ヘッド本体８２の底部により押し上げられて収縮するので、着脱ヘッド８０は元の位置に戻ろうとする。
【００３３】
基部１０に対するアーム部６０の角度を変更する場合には、まず左右の着脱ヘッド８０，８０を外側に引いて、着脱ヘッド８０，８０の凸部８６，８６を軸孔から外す。次いで軸部４２を対向する別の軸孔６６，６６に移動し、着脱ヘッド８０，８０を元の位置に戻して凸部８６，８６を軸部４２が通された軸孔６６，６６に嵌める。
【００３４】
上記構成のうち、受け部４０、軸部４２、アーム部６０の軸孔６６、着脱ヘッド８０、スプリングコイル８７および規制部８８が角度調整機構に該当する。なお、角度調整機構は、基部１０に対するアーム部６０の角度を変更できるものであれば、どのような態様であってもよい。
【００３５】
下側の基部５０のアーム部７０，７０は、図１ないし図３および図７に示すように、左右方向に間隔を保って左右の受け部４０，４０にそれぞれ備えられている。下側の基部５０の各アーム部７０は、帯状であって、基部５０からその後方に向かって上側に傾斜して延びるアーム基部７２と、アーム基部７２の先端から後方に向かって延び、途中屈曲してアーム基部７２よりさらに上側に傾斜している主アーム部７４と、主アーム部７４の先端から前方に延びる延出部７８と、により構成されている。
【００３６】
下側の基部５０に備えられる左右のアーム部７０，７０のうちアーム基部７２，７２には、基部５０に対するアーム部７０の角度を変えるため、上側の基部１０のアーム部６０と同様に、左右方向に貫通する軸孔７６が同心円上に１５°間隔で３つ設けられている。
【００３７】
下側の基部５０のアーム部７０，７０は、上記上側の基部１０のアーム部６０と同様に角度調整機構を介して基部５０に取り付けられている。なお、主アーム部７４の形状は特に限定されるものではなく、少なくともその先端側（上側）がアーム基部７２よりさらに上側に傾斜していればよい。
【００３８】
上記一対のアーム部６０，７０に関して、下側の基部５０に備えられる左右のアーム部７０，７０の間に、上側の基部１０に備えられる左右のアーム部６０，６０を通すために、下側の基部５０に備えられる左右の主アーム部７４，７４の間隔は、上側の基部１０に備えられる左右の主アーム部６４，６４の間隔より広くなっている。そして、上側の基部１０に備えられる左右のアーム部６０，６０は、下側の基部５０に備えられる左右のアーム部７０，７０の間に通されてこれと交差しており、下側の基部５０に備えられる主アーム部７４，７４の先端側は、上側の基部１０に備えられる主アーム部６４，６４の先端側より前方に位置している。
【００３９】
上記一対のアーム部６０，７０は、軸孔６６，７６を同心円上に１５°刻みで設けているので、基部１０，５０に対するアーム部６０，７０（主アーム部６４，７４）の先端側の角度を９０°、１０５°または１２０°に変更することができる。上側の基部１０および下側の基部５０に対する一対のアーム部６０，７０の角度が同じ場合、それぞれの主アーム部６４，７４の先端側は略平行となる。
【００４０】
間接活線工具のアダプタを取り付けた間接活線工具１４０を用いて作業者が電線Ｌ１の側方から作業を行う場合には、図３に示すように、基部１０，５０に対するアーム部６０，７０の先端側の角度を９０°とし、作業者が電線Ｌ１より高い位置（斜め上）から作業を行う場合には、図８に示すように、基部１０，５０に対するアーム部６０，７０の先端側の角度を１０５°または１２０°とすると作業が行いやすくなる。
【００４１】
なお、上記一対のアーム部６０，７０について、軸孔６６，７６の数やその設置角度は、適宜変更してもよい。また、一対のアーム部６０，７０は、交差しないものであってもよい。
【００４２】
一対の挟み体９０，１００は、物を挟むためのものであり、図１ないし図３に示すように、上側の基部１０および下側の基部５０に備えられるアーム部６０，７０の主アーム部６４，７４の先端側にそれぞれ設けられている。
【００４３】
上側の基部１０に備えられるアーム部６０の主アーム部６４に設けられる挟み体９０は、その前面側に、左右方向、言い換えれば間接活線工具１４０の開閉アーム１５０の開閉軸１５１と平行な方向に沿う溝である溝部９２を備えている。この溝部９２の断面は、曲線状になっている。また、この溝部９２の内面には、滑り止めとしてゴムまたは樹脂等で形成されたシート９４が取り付けられている。
【００４４】
下側の基部５０に備えられるアーム部７０の主アーム部７４に設けられる挟み体１００は、上側の基部１０に備えられるアーム部６０の主アーム部６４の挟み体９０に比べ、上下方向に長いものとなっている。下側の基部５０に備えられるアーム部７０の主アーム部７４に設けられる挟み体１００は、図２および図９に示すように、その後面、言い換えれば上側の基部１０に備えられるアーム部６０の主アーム部６４に設けられる挟み体９０に対向する面に、主アーム部７４の延伸方向と略平行な方向に沿う溝部１０２を備えている。この溝部１０２は、横断面が矩形状になっている。また、溝部１０２は、先端側（上側）が曲面状になっており、先端に向かって溝が浅くなっている。溝部１０２の内面には、滑り止めとしてゴムまたは樹脂等で形成されたシート９４が取り付けられている。
【００４５】
なお、上記一対の挟み体９０，１００は、上記とは逆のアーム部６０，７０に取り付けられていてもよい。また、一対の挟み体９０，１００は、アーム部６０，７０のうち主アーム部６４，７４の先端側以外の部分に設けられるものであってもよい。また、アーム部６０，７０は、アーム部６０，７０と一体的になっているものであってもよい。
【００４６】
一対の突出部１１０，１２０は、対象物を挟むためのものであり、本実施形態では、図１ないし図３に示すように、上側の基部１０に備えられる左右のアーム部６０，６０の主アーム部６４，６４の側面と、下側の基部５０に備えられる左右のアーム部７０，７０の延出部７８，７８の側面から左右方向に突出するように設けられている。個々の突出部１１０，１２０は、棒状であり、その外周には、滑り止めとしてゴム又は樹脂からなるシート１１２が取り付けられている。
また、一対の突出部１１０，１２０は、対象物を挟みやすくするため、先端側が互いに離れるように屈曲している。
【００４７】
なお、一対の突出部１１０，１２０は、アーム部６０，７０以外に取り付けられていてもよい。また、一対の突出部１１０，１２０は、左右の一方に備えられるものであってもよい。
【００４８】
上記間接活線工具のアダプタが取り付けられる間接活線工具１４０は、いわゆるやっとこと呼ばれるものであり、図１０に示すように、操作部１４２を有する絶縁性の操作棒１４８と、操作棒１４８の先端に設けられ、操作部１４２の操作により開閉軸１５１周りに開閉する一対の開閉アーム１５０，１５０と、開閉アーム１５０，１５０のそれぞれの先端に設けられ、開閉アーム１５０，１５０の開閉に伴って接近または離隔するあご部１５２，１５２と、を備えている。操作部１４２は、操作棒１４８に設けられる回動自在なレバー１４４と、レバー１４４と一方の開閉アーム１５０の後端部とを連結する副操作棒１４６と、を備えている。各あご部１５２は、図４に示すように、一対のあご部１５２，１５２が対向する側とは反対側の面（上面または下面）に着脱ピン３０が嵌る凹部１５４を備えている。
【００４９】
間接活線工具のアダプタは、上記した手順により間接活線工具１４０に装着して用いられる。間接活線工具のアダプタが装着された間接活線工具１４０は、操作部１４２のレバー１４４を操作して開閉アーム１５０，１５０を開閉させて、一対の基部１０，５０を接近または離隔させることにより、基部１０，５０の挟み部１５，１５で物を挟む。また、間接活線工具のアダプタが装着された間接活線工具１４０は、開閉アーム１５０，１５０を開閉させて、上側の基部１０および下側の基部５０に備えられる一対のアーム部６０，７０を開閉させるとともに一対の挟み体９０，１００および一対の突出部１１０，１２０を接近または離隔させることにより、一対の挟み体９０，１００または一対の突出部１１０，１２０で物を挟む。
【００５０】
本実施形態における間接活線工具のアダプタは、図１１に示すように、一対の開閉アーム１５０，１５０が閉じた状態では、一対のアーム部６０，７０が、操作棒１４８の長手方向に対し、一対の基部１０，５０の先端から一対の開閉アーム１５０，１５０の後端までの範囲Ｒ内で交差しており、一対のアーム部６０，７０の先端側、一対の挟み体９０，１００および一対の突出部１１０，１２０がその範囲Ｒ内に位置する。
【００５１】
間接活線工具のアダプタを用いる作業は、架線に関する作業であれば特に限定されるものではないが、ここではその作業方法の一例として、電線Ｌ１に鳥害防止具２００を取り付ける作業方法について説明する。まず、電線Ｌ１に取り付けられる鳥害防止具２００について説明し、次いで鳥害防止具２００を取り付ける作業方法について説明する。
【００５２】
本願発明に係る鳥害防止具２００は、合成樹脂で形成されており、図１２ないし図１４に示すように、鳥が電線Ｌ１に留まることを防止する留まり止め２１０と、この留まり止め２１０を電線Ｌ１に取り付ける環状部２２０と、環状部２２０の下方に設けられる重心部２６０とを備えている。環状部２２０は、その中に電線Ｌ１が通され、電線Ｌ１を中心にして鳥害防止具２００全体を回動可能にするものである。環状部２２０は留まり止め２１０の両端に設けられている。重心部２６０は下端に錘２６４を備えており、通常時に留まり止め２１０が上方に位置するように配置される。
【００５３】
環状部２２０は、第一部２３０と第二部２４０との２つの部分が、上方の基端側のヒンジ２３２を中心に開閉可能に設けられたものであり、第一部２３０には、留まり止め２１０および重心部２６０の双方が設けられている。
【００５４】
留まり止め２１０は、電線Ｌ１に沿って伸びる棒状の水平部２１２と、水平部２１２から上方に伸びる多数の針状体２１４とを備えている。また、留まり止め２１０の水平部２１２の中央には、前後方向の一方に突出する突出片２１６が設けられている。
なお、留まり止め２１０は、鳥が留まることを防止できる構造であればどのようなものであってもよい。
【００５５】
第一部２３０は、電線Ｌ１に引掛けられる部分であり、左右方向（環状部２２０の軸心方向）から見て約４分の３円弧に形成されている。この第一部２３０の上部には、左右方向から見て、環状部２２０の中央に留まり止め２１０が設けられている。第一部２３０は、この中央から前後方向の一方側（図１４（Ａ）では紙面左側）に約４分の１円弧延ばされ、他方側（図１４（Ａ）では紙面右側）に約２分の１円弧延ばされている。上記の一方側の端部にはヒンジ２３２を介して第二部２４０が回動可能に接続されている。また、上記の他方側の端部には受容部２３４と、重心部２６０の延設部２６２とが設けられている。
【００５６】
第二部２４０は、約４分の１円弧に形成されており、この第二部２４０の下端には挿入部２４２が設けられている。そして受容部２３４に挿入部２４２を挿入すると、第一部２３０と第二部２４０とが一体になって、円形リング状になる（図１４（Ｃ）参照）。電線Ｌ１への装着は、受容部２３４から挿入部２４２を抜いて（図１４（Ｄ）参照）、ヒンジ２３２を支点に第二部２４０を回転させることで環状部２２０が開いて（図１４（Ａ）参照）、この開いた開口から電線Ｌ１を入れて、電線Ｌ１を第一部２３０に引掛ける。そしてヒンジ２３２を逆方向に回転させ、受容部２３４に挿入部２４２を挿入する（図１４（Ｂ）および（Ｃ）参照）。この環状部２２０が開いた開口状態を保持するために、ヒンジ２３２には、クリック作用をなす凹凸が形成されており、これにより、上記の開口から電線Ｌ１を入れる作業を円滑に行なうことができる。
【００５７】
環状部２２０（第一部２３０、第二部２４０）の内周面には、リブ（図示略）が設けられている。このリブは、環状部２２０の内周面の一部を内方に向かって筋状に突出させた部分であって、環状に形成されており、強度向上のほか、電線Ｌ１への接触面積を減らして回転を円滑にする働きをする。
【００５８】
なお、図示した実施の形態では、環状部２２０は、円筒形に形成されているが、例えば、外周面を多角形にしても良い。また内周面についても、楕円形にしたり、上部は半円形として下部は多角形にしたりするなど、鳥が留まり止め２１０に留まったときに揺動できれば適宜形状を変更することができる。環状部２２０を複数設ける場合、それらの軸心を同一にして設けることが望ましい。
【００５９】
重心部２６０は、環状部２２０の第一部２３０の下端寄りから下方に伸びる延設部２６２と、延設部２６２の下端に設けられる錘２６４と、を備えている。この錘２６４は金属などの重量の大きなものを用いてもよいし、磁石を用いてもよい。重心部２６０は錘２６４を環状部２２０の中心直下に配置するように延設部２６２から屈曲して伸びる折曲部２６６を備えているが、全体を斜めに伸びる直線状の部材としてもよい。また折曲部２６６は左右方向にも曲がっている。本実施形態では、環状部２２０が２個設けられており、重心部２６０も２個設けられているが、折曲部２６６で互いに近づくように曲げられており、両重心部２６０，２６０の先端間を結んだ長さは水平部２１２の長さよりも短く設定されている。
【００６０】
受容部２３４は第一部２３０の下端に設けられたもので、第二部２４０の下端に向けて開口した筒状をなす部分である。より詳しく述べると、受容部２３４は、上面と下面との間に挿入部２４２を受容するもので、下面には係止部２３６として係止穴が形成されている。
【００６１】
挿入部２４２は、第二部２４０の下端につながる固定部２４４と、固定部２４４から先端方向（第一部２３０の下端方向）に伸びる内腕２４６と、内腕２４６の先端の折り返し端２４８と、折り返し端２４８から折り返して基端方向に伸びる外腕２５０と、外腕２５０の基端に下方向に曲がった操作部２５２とを備えている。外腕２５０は内腕２４６の外側に間隔を隔てて配置されている。外腕２５０の外側には係合部２５４として突起が外方向（下方向）に突出して設けられている。
【００６２】
挿入部２４２は、折り返し端２４８から受容部２３４に挿入され、係合部２５４が係止部２３６に係止されると、第一部２３０と第二部２４０とが環状に閉じた状態で固定される。より詳しく述べると、図１４（Ｂ）に示すように、挿入部２４２が折り返し端２４８から受容部２３４に挿入されていくと、下面に係合部２５４が当接して、折り返し端２４８を中心にして外腕２５０が内腕２４６に近づくように弾性変形する。そして、図１４（Ｃ）に示すように、係合部２５４が係止部２３６に嵌り込むことにより、内腕２４６と外腕２５０とが遠ざかり、強固に固定される。
【００６３】
係止を外すには、図１４（Ｄ）に示すように、外腕２５０を上方に押し上げて係止部２３６と係合部２５４との嵌合を外し、第二部２４０を開き方向に回動すると、挿入部２４２が受容部２３４から抜け出す。その際には、操作部２５２を斜め上方に押し上げるだけで、嵌合を外して挿入部２４２を抜くことができる。
【００６４】
この例では、操作部２５２は、下方に向けて湾曲する半円状のものを示したが、これに限らず、例えば、リング形状、上方向に湾曲したもの、Ｌ字状に屈曲したもの等、絶縁工具を用いて容易に操作できる形状であればどのような形状であってもよい。
【００６５】
また、係止部２３６と係合部２５４は、受容部２３４と挿入部２４２のどちらに設けてもよい。係止部２３６としては、係止穴に限らず凹部としてもよい。受容部２３４は筒状でなくてもよく、上面と下面との間に挿入部２４２を挿入できればよい。また受容部２３４を単なる環状の形状としてもよい。挿入部２４２の形状は、略Ｕ字状のものとして実施したが、円錐形などの筒状体をなすものとして、これを径方向に押しつぶすように弾性変形させるものであってもよく適宜変更できる。内腕２４６と上面の側に係合部２５４、係止部２３６を設けるようにしてもよい。
【００６６】
次に、鳥害防止具を電線Ｌ１に取り付ける作業方法について説明する。この作業には、上記間接活線工具のアダプタを装着した上記間接活線工具１４０を用いる。以下、説明の便宜上、間接活線工具のアダプタが取り付けられた間接活線工具１４０をアダプタ付き間接活線工具１４０というものとする。また、以下の説明において、鳥害防止具２００は、図１５に示すように、上下２段に電線Ｌ１，Ｌ２が電柱Ｐに架線されている場所において上側の電線Ｌ１に取り付けるものとする。また、作業者は、上側の電線Ｌ１より高い位置（斜め上）から作業を行うものとし、基部１０，５０に対するアーム部６０，７０の先端側の角度は９０°より大きい角度に設定されている。
【００６７】
まず、鳥害防止具２００の第二部２４０を開いておく。次いで、電線Ｌ１の斜め上において、作業車のバケットＢに乗った作業者がアダプタ付き間接活線工具１４０を操作して一対の基部１０，５０の挟み部１５，１５で鳥害防止具２００の突出片２１６を挟む。次いで、図１６に示すように、アダプタ付き間接活線工具１４０を斜め下に降ろして鳥害防止具２００の環状部２２０内に電線Ｌ１を通して収容し、その環状部２２０の第一部２３０を電線Ｌ１に掛ける。この際、鳥害防止具２００は、後の作業を効率よく行う観点からは、環状部２２０の開口部を作業者側に向けるように電線Ｌ１に掛けることが好ましい。
【００６８】
なお、アダプタ付き間接活線工具１４０で鳥害防止具２００を挟む部分は、突出片２１６以外の部分であってもよい。また、この工程に用いる間接活線工具は、アダプタがついていない上記間接活線工具１４０または別の間接活線工具であってもよい。
【００６９】
次いで、図１７に示すように、電線Ｌ１の斜め上において、作業者がアダプタ付き間接活線工具１４０を斜め下に降ろし、操作部１４２を操作して一対の突出部１１０，１２０のうちの一方の対により鳥害防止具２００をその前後から挟み込み、挿入部２４２の先端側（折り返し端２４８）を受容部２３４に挿入することにより、第一部２３０と第二部２４０を仮固定する。鳥害防止具２００のうち、一対の突出部１１０，１２０で挟み込む部分としては、例えば挿入部２４２と第一部２３０または延設部２６２とが挙げられる。
なお、第一部２３０と第二部２４０の仮固定は、一対の突出部１１０，１２０ではなく、一対の挟み体９０，１００で挟み込むことにより行ってもよい。
【００７０】
次いで、図１８に示すように、電線Ｌ１の斜め上において、アダプタ付き間接活線工具１４０を斜め下に降ろし、操作部１４２を操作して、一対の挟み体９０，１００で鳥害防止具２００を前後から挟むことにより挿入部２４２を受容部２３４にさらに挿入して係合部２５４を係止部２３６に係止させる。これにより、第一部２３０と第二部２４０が固定され、鳥害防止具２００の電線Ｌ１への取付けが完了する。この工程は、例えば、下側の基部５０のアーム部７０に設けられる挟み部１００の溝部１０２の先端側の曲面状部分を、第一部２３０の上側の円弧部分に合わせるように当て、また上側の基部１０のアーム部６０に設けられる挟み体９０の溝部９２に、鳥害防止具２００の延設部２６２を当てて、鳥害防止具２００を挟むとよい。このようにすれば、容易かつ確実に鳥害防止具２００の挿入部２４２を受容部２３４に挿入することができる。
【００７１】
なお、上記各作業は、電線Ｌ１の斜め上において作業を行っているが、電線Ｌ１の側方において作業を行うこともできる。この場合、必要に応じて基部１０，５０に対するアーム部６０，７０の角度を変更し、アダプタ付きの間接活線工具１４０を略水平にした状態で上記各作業を行う。
【００７２】
上記間接活線工具のアダプタおよび作業方法は、電線（架線）Ｌ１が上下に１本架線されている場所はもちろん、２本以上架線されている場所でも、適用できる。電線Ｌ１が上下に２本以上架線されている場所では、最も上の電線以外の電線については、その電線の側方においてアダプタ付き間接活線工具１４０を用いて作業を行えばよい。
なお、上記間接活線工具のアダプタおよび作業方法は、電線Ｌ１だけではなく架空地線などの各種架線にも適用できる。
【００７３】
以上に示した間接活線工具のアダプタは、間接活線工具に装着して用いることにより、架線の側方または斜め上から、架線に物を取り付けるなど架線に関する作業を行うことができるので、上下に架線が複数存在する場所であっても架線に触れることなく安全に活線作業を行うことができる。また、図１５に示すように、作業者がバケットに乗り、架線の側方または斜め上から作業を行う場合には、バッケットの周壁の上端に間接活線工具を載せながら作業を行うことができるので、架線の下側から作業を行う場合に比べ、作業者の負担を著しく軽減することができる。
【００７４】
また、間接活線工具のアダプタは、一対の突出部を備えることにより、突出部でも物を挟むことができる。
【００７５】
また、間接活線工具のアダプタは、基部に対してアーム部の角度を変更することができるので、作業現場の状況に応じて、架線の略側方において作業を行ったり、架線の斜め上において作業を行ったりすることができる。
【００７６】
また、間接活線工具のアダプタは、一対の基部にそれぞれ挟み部が設けられているので、基部でも物を挟むことができる。
【００７７】
また、上記作業方法は、架線の側方または斜め上から架線に関する作業を行うことができるので、上下に架線が複数存在する場所であっても架線に触れることなく安全に活線作業を行うことができる。しかも、上記作業方法は、上述の理由により、作業者の負担を著しく軽減することができる。
【００７８】
また、上記作業方法は、架線の側方または斜め上から架線に関する作業を行うことができるので、上下に架線が複数存在する場所であっても、上記鳥害防止具を効率よく架線に取り付けることができる。
【００７９】
本発明の間接活線工具のアダプタおよび鳥害防止具の取付方法は、上記実施形態に特に限定されるものではなく、本発明の要旨の範囲内において適宜変更することができる。また、間接活線工具のアダプタの用途は、鳥害防止具の取り付けに限定されるものではなく、電線に物を取り付けるなどの電線に関する様々な作業に用いることができる。
【符号の説明】
【００８０】
１０，５０    基部
１２    基部本体
１４    挿入孔
１５    挟み部
１６    シート
２０    枠部
２２，２３    導入孔
２６    内部空間
３０    着脱ピン
３２    胴部
３４    頭部
３６    スプリングコイル
３８    掛け部
４０    受け部
４２    軸部
６０，７０    アーム部
６２，７２    アーム基部
６４，７４    主アーム部
６６，７６    軸孔
７８    延出部
８０    着脱ヘッド
８２    着脱ヘッド本体
８４    摘み部
８６    凸部
８７    スプリングコイル
８８    規制部
８９    貫通孔
９０，１００    挟み体
９２，１０２    溝部
９４    シート
１１０，１２０    突出部
１１２    シート
１４０    間接活線工具
１４２    操作部
１４４    レバー
１４６    副操作棒
１４８    操作棒
１５０    開閉アーム
１５１    開閉軸
１５２    あご部
１５４    凹部
２００    鳥害防止具
２１０    留まり止め
２１２    水平部
２１４    針状体
２１６    突出片
２２０    環状部
２３０    第一部
２３２    ヒンジ
２３４    受容部
２３６    係止部
２４０    第二部
２４２    挿入部
２４４    固定部
２４６    内腕
２４８    折り返し端
２５０    外腕
２５２    操作部
２５４    係合部
２６０    重心部
２６２    延設部
２６４    錘
２６６    折曲部
Ｐ    電柱
Ｌ１，Ｌ２    電線
Ｂ    バケット
Ｒ    範囲
【図１】
0006629122.tif 000002
【図２】
0006629122.tif 000003
【図３】
0006629122.tif 000004
【図４】
0006629122.tif 000005
【図５】
0006629122.tif 000006
【図６】
0006629122.tif 000007
【図７】
0006629122.tif 000008
【図８】
0006629122.tif 000009
【図９】
0006629122.tif 000010
【図１０】
0006629122.tif 000011
【図１１】
0006629122.tif 000012
【図１２】
0006629122.tif 000013
【図１３】
0006629122.tif 000014
【図１４】
0006629122.tif 000015
【図１５】
0006629122.tif 000016
【図１６】
0006629122.tif 000017
【図１７】
0006629122.tif 000018
【図１８】
0006629122.tif 000019
【図１９】
0006629122.tif 000020